(57)【要約】【課題】健康促進のための対象者の行動変容をより効果的に支援できるようにする。【解決手段】目標設定部１０５は、指導方針記憶部１１４に記憶されている指導方針情報、および健康情報記憶部１１５に記憶されている健康情報，対象者による目標値などのパラメータをもとに、対象者に提示する推奨目標値を生成する。擬似他者生成部１０７は、指導方針記憶部１１４に記憶されている指導方針情報より擬似他者情報を生成し、生成した擬似他者情報を、対応するグループに含まれる対象者の擬似の情報としてグループ情報記憶部１１６に登録する。【選択図】  図１
2011048745.tif 000002
【特許請求の範囲】
【請求項１】
ネットワークを介して受け付けたサービス提供の要求元を、利用者情報記憶部に記憶されている利用者属性と比較することで、対象者および指導者のいずれかに識別する利用者識別手段と、
前記対象者が使用している端末装置より前記ネットワークを介して受け付けた、前記対象者の身体情報，運動情報，摂取カロリー情報を含む健康情報を、健康情報記憶部に記憶する対象者情報登録手段と、
前記対象者が使用している端末装置よりネットワークを介して受け付けた前記対象者により設定された目標値を、健康情報記憶部に登録する対象者目標登録手段と、
前記指導者が使用している端末装置より前記ネットワークを介して受け付けた、前記指導者が担当する対象者の指導方針情報を指導方針記憶部に登録する指導方針登録手段と、
前記指導方針記憶部に記憶されている指導方針情報，前記健康情報記憶部に記憶されている健康情報，および前記対象者により設定された目標値を含むパラメータをもとに、前記対象者に提示する推奨目標値を生成する目標設定手段と、
前記利用者情報記憶部に登録されている対象者の中より、前記指導方針記憶部に登録されている指導方針情報に含まれる対象者の属性やグループ設定情報をもとにグループを生成し、生成したグループの情報をグループ情報記憶部に登録するグループ情報管理手段と、
前記指導方針記憶部に記憶されている指導方針情報より擬似他者情報を生成し、生成した擬似他者情報を、対応するグループに含まれる対象者の擬似の情報として前記グループ情報記憶部に登録する擬似他者生成手段と、
前記利用者情報記憶部に記憶されている対象者により設定された目標値、前記指導方針記憶部に記憶されている前記指導者により設定された目標値と、前記健康情報記憶部に記憶されている健康情報の運動情報および摂取カロリー情報の値とを比較し、前記対象者により設定された目標値に対する達成の度合いを取り組みの評価結果として生成する取組評価手段と、
前記ネットワークを介して受け付けた要求に対応し、前記健康情報記憶部に記憶されている健康情報を、要求元の端末装置に通知する健康情報提示手段と、
前記グループ情報記憶部に記憶されている要求元の対象者と同一グループ内の他の対象者の情報を、要求元の端末装置に通知する他者情報提示手段と、
前記ネットワークを介して受け付けた要求に対応し、少なくとも前記目標設定手段が生成した前記推奨目標値を、要求元の端末装置に通知する目標提示手段と
を少なくとも備えることを特徴とする健康情報処理装置。
【請求項２】
請求項１記載の健康情報処理装置において、
前記指導方針登録手段は、前記対象者の前記運動情報、長期目標、この長期目標の到達時期、目標達成時の補正値、目標が達成できなかったときの補正値、取り組み内容の下限値、取り組み内容の上限値、取り組みの期間、および擬似他者の追加指定の情報を含む情報を指導方針情報として受け付け、前記指導方針記憶部に記憶する
ことを特徴とする健康情報処理装置。
【請求項３】
請求項１または２記載の健康情報処理装置において、
前記目標設定手段は、前記パラメータを用い、予め設定されている計算式を用いて前記推奨目標値を算出する
ことを特徴とする健康情報処理装置。
【請求項４】
請求項１〜３のいずれか１項に記載の健康情報処理装置において、
前記擬似他者生成手段は、予め設定されている計算式により、前記擬似他者情報を生成する
ことを特徴とする健康情報処理装置。
【請求項５】
請求項１〜４のいずれか１項に記載の健康情報処理装置において、
前記グループ情報管理手段は、前記指導者が使用している端末装置より前記ネットワークを介して受け付けた擬似他者情報を前記グループ情報記憶部に登録する
ことを特徴とする健康情報処理装置。
【請求項６】
ネットワークを介して受け付けたサービス提供の要求元を、利用者情報記憶部に記憶されている利用者属性と比較することで、対象者および指導者のいずれかに識別する利用者識別ステップと、
前記対象者が使用している端末装置より前記ネットワークを介して受け付けた、前記対象者の身体情報，運動情報，摂取カロリー情報を含む健康情報を、健康情報記憶部に記憶する対象者情報登録ステップと、
前記対象者が使用している端末装置よりネットワークを介して受け付けた前記対象者により設定された目標値を、健康情報記憶部に登録する対象者目標登録ステップと、
前記指導者が使用している端末装置より前記ネットワークを介して受け付けた、前記指導者が担当する対象者の指導方針情報を指導方針記憶部に登録する指導方針登録ステップと、
前記指導方針記憶部に記憶されている指導方針情報，前記健康情報記憶部に記憶されている健康情報，および対象者により設定された目標値を含むパラメータをもとに、前記対象者に提示する推奨目標値を生成する目標設定ステップと、
前記利用者情報記憶部に登録されている対象者の中より、前記指導方針記憶部に登録されている指導方針情報に含まれる対象者の属性やグループ設定情報をもとにグループを生成し、生成したグループの情報をグループ情報記憶部に登録するグループ情報管理ステップと、
前記指導方針記憶部に記憶されている指導方針情報より擬似他者情報を生成し、生成した擬似他者情報を、対応するグループに含まれる対象者の擬似の情報として前記グループ情報記憶部に登録する擬似他者生成ステップと、
前記利用者情報記憶部に記憶されている対象者により設定された目標値、前記指導方針記憶部に記憶されている前記指導者により設定された目標値と、前記健康情報記憶部に記憶されている健康情報の運動情報および摂取カロリー情報の値とを比較し、前記対象者により設定された目標値に対する達成の度合いを取り組みの評価結果として生成する取組評価ステップと、
前記ネットワークを介して受け付けた要求に対応し、前記健康情報記憶部に記憶されている健康情報を、要求元の端末装置に通知する健康情報提示ステップと、
前記グループ情報記憶部に記憶されている要求元の対象者と同一グループ内の他の対象者の情報を、要求元の端末装置に通知する他者情報提示ステップと、
前記ネットワークを介して受け付けた要求に対応し、前記目標設定ステップが生成した前記推奨目標値を、要求元の端末装置に通知する目標提示ステップと
を少なくとも備えることを特徴とする健康情報処理方法。
【請求項７】
請求項６記載の健康情報処理方法において、
前記指導方針登録ステップでは、前記対象者の前記運動情報、長期目標、この長期目標の到達時期、目標達成時の補正値、目標が達成できなかったときの補正値、取り組み内容の下限値、取り組み内容の上限値、取り組みの期間、および擬似他者の追加指定の情報を含む情報を指導方針情報として受け付け、前記指導方針記憶部に記憶する
ことを特徴とする健康情報処理方法。
【請求項８】
請求項６または７記載の健康情報処理方法において、
前記目標設定ステップでは、前記パラメータを用い、予め設定されている計算式を用いて前記推奨目標値を算出する
ことを特徴とする健康情報処理方法。
【請求項９】
請求項６〜８のいずれか１項に記載の健康情報処理方法において、
前記擬似他者生成ステップでは、予め設定されている計算式により、前記擬似他者情報を生成する
ことを特徴とする健康情報処理方法。
【請求項１０】
請求項６〜９のいずれか１項に記載の健康情報処理方法において、
前記指導者が使用している端末装置より前記ネットワークを介して受け付けた擬似他者情報を前記グループ情報記憶部に登録する擬似他者登録ステップを有する
ことを特徴とする健康情報処理方法。
【発明の詳細な説明】
【技術分野】
【０００１】
本発明は、利用者の健康のための行動変容による活動量促進を支援するための健康情報処理装置および方法に関するものである。
【背景技術】
【０００２】
健康促進を目的とした個人の習慣化された行動パターンを変える（行動変容）ための支援サービスとして、指導する側（指導者）とされる側（対象者）の各々をターゲットとしたものが提案されている。
【０００３】
指導者をターゲットとした支援サービスでは、多くの対象者を担当できるように、作業効率を向上させるものとなっている。一方、対象者をターゲットとしたものは、日々の健康管理に対する負荷の低減などによって、対象者の健康促進への取り組みをより容易に継続できるようにする工夫をした支援サービスとなっている。
【０００４】
例えば、指導者用のサービスとしては、エヌ・ティ・ティ アイティ株式会社による健康管理支援システム「ＨＥＬＳＭＥＫ」がある（非特許文献１参照）。このシステムは、対象者の健康情報を一元管理し、健康診査の準備・実施、判定・階層化までの作業で得られた情報を自動的に処理し、処理した情報を指導者の要求に合わせた形式で出力する。また、このシステムでは、対象者毎の指導経過を記録することで、個別の状況管理や全体集計などの業務を簡便化できるようにしている。
【０００５】
また、例えば、対象者用のサービスとしては、歩数計や体重計で計測した情報や食事の内容などをインターネット上のサイトに登録し、健康情報を管理するといったサービスが存在している。この中でも、エヌ・ティ・ティ レゾナント株式会社のサービスである「ｇｏｏからだログ」は、健康情報とあわせて日々の感想日記形式で記録することができる（非特許文献２参照）。また、このサービスでは、同じ取り組みを行う、あるいは同じ目標をめざす「コース」があり、既存のコースから参加したいコースを選ぶことができる。コースに参加すると、自分の値と、コースに参加している他の利用者の平均値とが比較表示される。
【０００６】
また、株式会社ＮＴＴデータによる健康管理サービスである「クリエイティブヘルス三健人」では、登録された歩数をポイントとして変換し、提携する企業の商品と交換することができる。
【先行技術文献】
【非特許文献】
【０００７】
【非特許文献１】http://www.ntt-it.co.jp/goods/hbj/HELSMEK/main.html
【非特許文献２】http://karada.goo.ne.jp/
【発明の概要】
【発明が解決しようとする課題】
【０００８】
ところで、健康に向けた行動変容を個人が実現するためには、強い意思や高い動機付け（モチベーション）を対象者が持つことが重要である。これに対し、指導者ならびに支援する側には、取り組みに対するやる気や自信を対象者に効果的に提供することが要件として求められてくる。
【０００９】
これらの観点で、健康に向けた個人の行動変容を目的とした既存のサービスを整理すると、各サービスに共通して満足していない点が見られる。
【００１０】
まず、指導者向けサービスでは、定期指導の範囲外にある対象者の日々の取り組みや指導後のフォローにまでは至らない。また、対象者向けのサービスでは、対象者のモチベーション維持を考慮したシステム設計が見られず、全対象者への画一的なサービスとなっている。
【００１１】
以上に示したように、従来の支援サービスでは、対象者による行動変容を効果的に支援できていないという問題があった。
【００１２】
本発明は、以上のような問題点を解消するためになされたものであり、健康促進のための対象者の行動変容をより効果的に支援できるようにすることを目的とする。
【課題を解決するための手段】
【００１３】
本発明に係る健康情報処理装置は、ネットワークを介して受け付けたサービス提供の要求元を、利用者情報記憶部に記憶されている利用者属性と比較することで、対象者および指導者のいずれかに識別する利用者識別手段と、対象者が使用している端末装置よりネットワークを介して受け付けた、対象者の身体情報，運動情報，摂取カロリー情報を含む健康情報を、健康情報記憶部に記憶する対象者情報登録手段と、対象者が使用している端末装置よりネットワークを介して受け付けた対象者により設定された目標値を、健康情報記憶部に登録する対象者目標登録手段と、指導者が使用している端末装置よりネットワークを介して受け付けた、指導者が担当する対象者の指導方針情報を指導方針記憶部に登録する指導方針登録手段と、指導方針記憶部に記憶されている指導方針情報，健康情報記憶部に記憶されている健康情報，および対象者により設定された目標値を含むパラメータをもとに、対象者に提示する推奨目標値を生成する目標設定手段と、利用者情報記憶部に登録されている対象者の中より、指導方針記憶部に登録されている指導方針情報に含まれる対象者の属性やグループ設定情報をもとにグループを生成し、生成したグループの情報をグループ情報記憶部に登録するグループ情報管理手段と、指導方針記憶部に記憶されている指導方針情報より擬似他者情報を生成し、生成した擬似他者情報を、対応するグループに含まれる対象者の擬似の情報としてグループ情報記憶部に登録する擬似他者生成手段と、利用者情報記憶部に記憶されている対象者により設定された目標値、指導方針記憶部に記憶されている指導者により設定された目標値と、健康情報記憶部に記憶されている健康情報の運動情報および摂取カロリー情報の値とを比較し、対象者により設定された目標値に対する達成の度合いを取り組みの評価結果として生成する取組評価手段と、ネットワークを介して受け付けた要求に対応し、健康情報記憶部に記憶されている健康情報を、要求元の端末装置に通知する健康情報提示手段と、グループ情報記憶部に記憶されている要求元の対象者と同一グループ内の他の対象者の情報を、要求元の端末装置に通知する他者情報提示手段と、ネットワークを介して受け付けた要求に対応し、少なくとも目標設定手段が生成した推奨目標値を、要求元の端末装置に通知する目標提示手段とを少なくとも備える。
【００１４】
上記健康情報処理装置において、指導方針登録手段は、対象者の運動情報、長期目標、この長期目標の到達時期、目標達成時の補正値、目標が達成できなかったときの補正値、取り組み内容の下限値、取り組み内容の上限値、取り組みの期間、および擬似他者の追加指定の情報を含む情報を指導方針情報として受け付け、指導方針記憶部に記憶するようにすればよい。また、目標設定手段は、パラメータを用い、予め設定されている計算式を用いて推奨目標値を算出するようにすればよい。同様に、擬似他者生成手段は、予め設定されている計算式により、擬似他者情報を生成するようにすればよい。また、グループ情報管理手段は、指導者が使用している端末装置よりネットワークを介して受け付けた擬似他者情報をグループ情報記憶部に登録するようにしてもよい。
【００１５】
また、本発明に係る健康情報処理方法は、ネットワークを介して受け付けたサービス提供の要求元を、利用者情報記憶部に記憶されている利用者属性と比較することで、対象者および指導者のいずれかに識別する利用者識別ステップと、対象者が使用している端末装置よりネットワークを介して受け付けた、対象者の身体情報，運動情報，摂取カロリー情報を含む健康情報を、健康情報記憶部に記憶する対象者情報登録ステップと、対象者が使用している端末装置よりネットワークを介して受け付けた対象者により設定された目標値を、健康情報記憶部に登録する対象者目標登録ステップと、指導者が使用している端末装置よりネットワークを介して受け付けた、指導者が担当する対象者の指導方針情報を指導方針記憶部に登録する指導方針登録ステップと、指導方針記憶部に記憶されている指導方針情報，健康情報記憶部に記憶されている健康情報，および対象者により設定された目標値を含むパラメータをもとに、対象者に提示する推奨目標値を生成する目標設定ステップと、利用者情報記憶部に登録されている対象者の中より、指導方針記憶部に登録されている指導方針情報に含まれる対象者の属性やグループ設定情報をもとにグループを生成し、生成したグループの情報をグループ情報記憶部に登録するグループ情報管理ステップと、指導方針記憶部に記憶されている指導方針情報より擬似他者情報を生成し、生成した擬似他者情報を、対応するグループに含まれる対象者の擬似の情報としてグループ情報記憶部に登録する擬似他者生成ステップと、利用者情報記憶部に記憶されている対象者により設定された目標値、指導方針記憶部に記憶されている指導者により設定された目標値と、健康情報記憶部に記憶されている健康情報の運動情報および摂取カロリー情報の値とを比較し、対象者により設定された目標値に対する達成の度合いを取り組みの評価結果として生成する取組評価ステップと、ネットワークを介して受け付けた要求に対応し、健康情報記憶部に記憶されている健康情報を、要求元の端末装置に通知する健康情報提示ステップと、グループ情報記憶部に記憶されている要求元の対象者と同一グループ内の他の対象者の情報を、要求元の端末装置に通知する他者情報提示ステップと、ネットワークを介して受け付けた要求に対応し、少なくとも目標設定ステップが生成した推奨目標値を、要求元の端末装置に通知する目標提示ステップとを少なくとも備える。
【００１６】
上記健康情報処理方法において、指導方針登録ステップでは、対象者の運動情報、長期目標、この長期目標の到達時期、目標達成時の補正値、目標が達成できなかったときの補正値、取り組み内容の下限値、取り組み内容の上限値、取り組みの期間、および擬似他者の追加指定の情報を含む情報を指導方針情報として受け付け、指導方針記憶部に記憶するようにすればよい。
【００１７】
上記健康情報処理方法において、目標設定ステップでは、パラメータを用い、予め設定されている計算式を用いて推奨目標値を算出すればよい。同様に、擬似他者生成ステップでは、予め設定されている計算式により、擬似他者情報を生成すればよい。また、指導者が使用している端末装置よりネットワークを介して受け付けた擬似他者情報をグループ情報記憶部に登録する擬似他者登録ステップを有するようにしてもよい。
【発明の効果】
【００１８】
以上説明したことにより、本発明によれば、健康促進のための対象者の行動変容をより効果的に支援できるようになるという優れた効果が得られる。
【図面の簡単な説明】
【００１９】
【図１】本発明の実施の形態１における健康情報処理装置１００の構成例を示す構成図である。
【図２】利用者識別部１０１の動作例を説明するためのフローチャートである。
【図３】健康情報登録部１０２の動作例を説明するためのフローチャートである。
【図４】健康情報提示部１１０の動作例を説明するためのフローチャートである。
【図５】他者情報提示部１０８の動作例を説明するためのフローチャートである。
【図６】目標提示部１１１および目標設定部１０５の動作例を説明するためのフローチャートである。
【図７】健康情報提示部１１０の動作例を説明するためのフローチャートである。
【図８】目標設定部１０５の動作例を説明するためのフローチャートである。
【図９】指導方針登録部１０４の動作例を説明するためのフローチャートである。
【図１０】目標設定部１０５の動作例を説明するためのフローチャートである。
【図１１】グループ情報管理部１０６の動作例を説明するためのフローチャートである。
【図１２】擬似他者生成部１０７の動作例を説明するためのフローチャートである。
【発明を実施するための形態】
【００２０】
以下、本発明の実施の形態について図を参照して説明する。図１は、本発明の実施の形態１における健康情報処理装置１００の構成例を示す構成図である。健康情報処理装置１００は、利用者識別部１０１，健康情報登録部１０２，対象者目標登録部１０３，指導方針登録部１０４，目標設定部１０５，グループ情報管理部１０６，擬似他者生成部１０７，他者情報提示部１０８，取組評価部１０９，健康情報提示部１１０，目標提示部１１１，通信部１１２，利用者情報記憶部１１３，指導方針記憶部１１４，健康情報記憶部１１５，およびグループ情報記憶部１１６を備える。
【００２１】
また、健康情報処理装置１００は、インターネットなどのネットワーク１２０を介し、端末Ａ１３１，端末Ｂ１３２，端末Ｃ１３３と接続している。端末Ａ１３１および端末Ｂ１３２は、例えば、対象者が使用している端末装置であり、端末Ｃ１３３は、指導者が使用している端末装置である。
【００２２】
利用者識別部１０１は、通信部１１２がサービスの提供要求を受け付けると、利用者情報記憶部１１３に記憶されている利用者属性と比較することで、要求元が対象者であるか指導者であるかを識別する。健康情報登録部１０２は、対象者が使用している端末装置である端末Ａ１３１および端末Ｂ１３２より通信部１１２が受け付けた、対象者の健康情報を、健康情報記憶部１１５に記憶（登録）する。健康情報は、血圧値および体重などの対象者の身体情報、歩数および消費カロリーなどの対象者の運動情報，食事などの対象者の摂取カロリー情報を含むものである。健康情報登録部１０２は、例えば、１日単位で、対象者の健康情報を受け付けて健康情報記憶部１１５に登録する。
【００２３】
対象者目標登録部１０３は、端末Ａ１３１および端末Ｂ１３２より通信部１１２が受け付けた対象者により設定された目標値（対象者設定目標値）を、健康情報記憶部１１５に登録する。対象者目標登録部１０３は、歩数，消費カロリー，および食事などの、対象者が実施可能な健康情報（運動情報，摂取カロリー情報）に関する対象者設定目標値を、健康情報記憶部１１５に登録する。
【００２４】
指導方針登録部１０４は、指導者が使用している端末装置である端末Ｃ１３３より通信部１１２が受け付けた、指導者が担当する対象者の指導方針情報を指導方針記憶部１１４に登録する。指導方針登録部１０４は、例えば、対象者の運動内容（運動情報）などの取り組み内容、運動内容の長期目標、長期目標の到達時期、目標達成時の補正値、目標が達成できなかったときの補正値、取り組み内容の下限値、取り組み内容の上限値、取り組みの期間、および擬似他者の追加指定の情報を含むグループ属性などを指導方針情報として受け付け、指導方針記憶部１１４に記憶する。
【００２５】
目標設定部１０５は、指導方針記憶部１１４に記憶されている指導方針情報、および健康情報記憶部１１５に記憶されている健康情報，対象者による対象者設定目標値などのパラメータをもとに、対象者に提示する推奨目標値を生成する。目標設定部１０５は、上述したパラメータを用い、予め設定されている計算式を用いて推奨目標値を算出する。例えば、目標設定部１０５は、例えば、指導方針情報の中に、指導者による短期目標値（指導者設定短期目標値）が設定されていない場合、指導者設定短期目標値として推奨目標値を算出する。
【００２６】
グループ情報管理部１０６は、利用者情報記憶部１１３に対象者として記憶（登録）されている対象者の中より、指導者に設定された指導方針情報に含まれる対象者の属性やグループ設定情報をもとにグループを生成し、生成したグループの情報をグループ情報記憶部１１６に登録する。また、グループ情報管理部１０６は、端末Ｃ１３３よりネットワーク１２０を介して通信部１１２が受け付けた擬似他者情報をグループ情報記憶部１１６に登録する。
【００２７】
擬似他者生成部１０７は、指導方針記憶部１１４に記憶されている指導方針情報より擬似他者情報を生成し、生成した擬似他者情報を、対応するグループに含まれる対象者の擬似の情報としてグループ情報記憶部１１６に登録する。擬似他者生成部１０７は、予め設定されている計算式により、擬似他者情報を生成する。他者情報提示部１０８は、グループ情報記憶部１１６に記憶されている要求元の対象者と同一グループ内の他の対象者の情報を、要求元の対象者の端末Ａ１３１もしくは端末Ｂ１３２に通知する。
【００２８】
取組評価部１０９は、利用者情報記憶部１１３に記憶されている対象者により設定された対象者設定目標値、指導方針記憶部１１４に記憶されている指導者により設定された指導者設定目標値と、健康情報記憶部１１５に記憶された健康情報の対象者により実施されている項目（運動情報および摂取カロリー情報）の値とを比較し、対象者設定目標値に対する達成の度合いを取り組みの評価結果として生成する。
【００２９】
健康情報提示部１１０は、例えば、端末Ａ１３１，端末Ｂ１３２からの要求に対応し、健康情報記憶部１１５に記憶されている健康情報を、要求元の端末端末Ａ１３１および端末Ｂ１３２に通知する。目標提示部１１１は、指導者により設定された指導者設定短期目標値、もしくは目標設定部１０５が生成した目標値（推奨目標値）を、対象者に対応する端末Ａ１３１および端末Ｂ１３２に通知する。
【００３０】
利用者情報記憶部１１３は、対象者の年齢，性別，体型，症状，趣味などの対象者情報と対象者の識別情報、指導者の職種，所属，性別，年齢などの指導者情報と指導者の識別情報、指導者と対象者との関係を示す情報を利用者属性として記憶している。
【００３１】
次に、より詳細に説明する。
【００３２】
まず、端末Ａ１３１，端末Ｂ１３２および端末Ｃ１３３からのサービス提供要求がネットワーク１２０を介して通信部１１２で受け付けられると、図２のフローチャートに示すように、ステップＳ２０１で利用者識別部１０１が、利用者情報記憶部１１３に記憶されている情報を参照し、受け付けた要求もとが、対象者であるか指導者であるかを判定する。この判定の前に、利用者情報記憶部１１３に記憶されている対象者の識別情報や指導者の識別情報などの認証情報をもとに、受け付けた要求元の認証を行うようにしてもよい。
【００３３】
受け付けた要求元が対象者である場合、ステップＳ２０２に移行し、対象者用の機能（サービス）の提供が開始される。一方、受け付けた要求元が指導者である場合、ステップＳ２０３に移行し、指導者用の機能の提供が開始される。対象者用の機能には、健康情報の登録、対象者目標登録、目標提示、他者情報閲覧、健康情報（取り組み結果）閲覧などがある。また、指導者用の機能には、指導方針登録、健康情報閲覧などがある。
【００３４】
対象者用の機能としての健康情報の登録では、図３のフローチャートに示すように、ステップＳ３０１で、対象者が使用している端末装置である端末Ａ１３１および端末Ｂ１３２より通信部１１２が受け付けた、対象者の血圧，体重，歩数，消費カロリー，食事，および摂取カロリーなどの健康情報を、健康情報登録部１０２が収集する。次に、ステップＳ３０２で、収集した健康情報を送出元の端末Ａ１３１もしくは端末Ｂ１３２に返送し、いずれかの端末で利用者（対象者）に視認可能な状態とする。
【００３５】
以上のようにして、受け付けた健康情報を対象者に視認可能な状態とした後、健康情報登録部１０２は、要求元の端末Ａ１３１もしくは端末Ｂ１３２からの内容変更の指示受け付けを待つ（ステップＳ３０３）。内容変更の指示を受け付けると、ステップＳ３０１に戻り、健康情報登録部１０２は、変更された健康情報を収集し、再度送出元の端末に返送する。
【００３６】
内容変更の指示がない場合（ステップＳ３０３）、健康情報登録部１０２は、受け付けられて収集した健康情報を、健康情報記憶部１１５に記憶（登録）する（ステップＳ３０４）。なお、対象者による対象者設定目標値の登録・変更についても同様であり、この場合、対象者目標登録部１０３が、対象者設定目標値について、上述同様に動作する。
【００３７】
次に、対象者の操作による端末Ａ１３１または端末Ｂ１３２からの健康情報閲覧要求に対する対応について説明する。図４のフローチャートに示すように、ステップＳ４０１で、いずれかの端末Ａ１３１，端末Ｂ１３２より、通信部１１２が健康情報の閲覧要求を受け付けると、ステップＳ４０２で、健康情報提示部１１０が、閲覧対象の健康情報に関する情報の送出（送信）を要求する。例えば、閲覧対象の項目などの情報を対象となる端末に送出し、対象者に視認可能な状態とすることで、閲覧対象となる健康情報の送出を要求する。送出した各項目の中より閲覧対象に対して入力がなされると（ステップＳ４０３）、健康情報提示部１１０は、閲覧対象の対象となる期間に関する情報の送出要求を、対象となる端末に送出し、対象者に視認可能な状態とする（ステップＳ４０４）。
【００３８】
送出した期間要求に対して対象となる期間が入力されると（ステップＳ４０５）、健康情報提示部１１０が、対象となる期間の対象となる健康情報の項目に関する情報を、健康情報記憶部１１５に記憶されている情報より収集して集計する（ステップＳ４０６）。この後、健康情報提示部１１０は、集計した情報を、対象となる端末に対して送出する（ステップＳ４０７）。この結果、対象者は、要求した期間の要求した項目の健康情報が、自身が操作している端末（端末Ａ１３１，端末Ｂ１３２）で閲覧可能となる。
【００３９】
次に、対象者の操作による端末Ａ１３１または端末Ｂ１３２からの他者情報閲覧要求に対する対応について説明する。
【００４０】
図５のフローチャートに示すように、他者情報提示部１０８が、他者情報の閲覧希望に関する情報の送出を要求する（ステップＳ５０１）。例えば、他者情報の閲覧を希望する選択肢を備えた項目などの情報を対象となる端末に送出し、対象者に視認可能な状態とすることで、他者情報の閲覧希望の送出を要求する。送出した要求に対して閲覧希望が受け付けられると（ステップＳ５０２）、他者情報提示部１０８は、指導方針記憶部１１４に記憶されている要求元の対象者に関する指導方針情報に、擬似他者の追加指定の有無を確認する（ステップＳ５０３）。
【００４１】
指導方針情報に擬似他者の追加指定が確認されると（ステップＳ５０３のＹ）、擬似他者生成部１０７が、指導方針記憶部１１４に記憶されている指導方針情報より擬似他者情報を生成し、生成した擬似他者情報を、対応するグループに含まれる対象者の擬似の情報としてグループ情報記憶部１１６に登録する（ステップＳ５０４）。一方、指導方針情報に擬似他者の追加指定がない場合（ステップＳ５０３のＮ）、ステップＳ５０５に移行する。
【００４２】
ステップＳ５０５で、他者情報提示部１０８は、グループ情報記憶部１１６に記憶されている要求元の対象者が含まれるグループを検索し、当該グループ内の要求元の対象者以外の対象者の情報を、利用者情報記憶部１１３に記憶されている情報より収集して集計し、集計した情報を、対象となる端末に対して送出する。この結果、要求元の対象者は、指導者によって設定されたグループ内の他の対象者の健康情報が、自身が操作している端末（端末Ａ１３１，端末Ｂ１３２）で閲覧可能となる。
【００４３】
次に、指導者の操作による端末Ｃ１３３からの、自身が担当している対象者の健康情報の閲覧要求への対応について説明する。図７のフローチャートに示すように、ステップＳ７０１で、端末Ｃ１３３より、通信部１１２が、指導者が担当する対象者の健康情報閲覧要求を受け付けると、ステップＳ７０２で、健康情報提示部１１０が、閲覧対象の健康情報に関する情報の送出を要求する。例えば、個人の健康情報の閲覧要求か、複数の対象者を集計した健康情報の閲覧要求かを問い合わせる。
【００４４】
この問い合わせに対し、個人情報の送出が要求された場合（ステップＳ７０３のＹ）、健康情報提示部１１０は、要求された対象者の健康情報を、健康情報記憶部１１５に記憶されている情報より収集する（ステップＳ７０４）。
【００４５】
一方、複数対象者の送出が要求された場合（ステップＳ７０３のＮ）、健康情報提示部１１０は、閲覧対象の健康情報の集計条件の送出を、端末Ｃ１３３に要求する（ステップＳ７０５）。この要求に対し、端末Ｃ１３３より集計条件が通知されると（ステップＳ７０６）、健康情報提示部１１０は、通知された集計条件で、健康情報記憶部１１５に記憶されている情報より健康情報を収集して集計する（ステップＳ７０７）。
【００４６】
次に、ステップＳ７０８で、健康情報提示部１１０は、要求された健康情報を、端末Ｃ１３３に対して送出する（ステップＳ７０８）。この結果、対象者は、要求した対象者の健康情報が、自身が操作している端末Ｃ１３３で閲覧可能となる。
【００４７】
次に、指導者による対象者の推奨目標値（指導者設定短期目標値）設定について説明する。図８のフローチャートに示すように、目標設定部１０５が、指導者が操作している端末Ｃ１３３に対し、ステップＳ８０１で、自身が担当している対象者の健康情報を送出する。次いで、ステップＳ８０２で、端末Ｃ１３３に対し、担当している対象者の長期目標値を送出する。これらの情報送出により、指導者は、自身が担当している対象者の健康情報および長期目標値が視認可能な状態となる。
【００４８】
次いで、目標設定部１０５が、指導者設定短期目標値の入力要求を端末Ｃ１３３に対して送出する（ステップＳ８０３）。この要求に対し、端末Ｃ１３３より、指導者設定短期目標値の入力（送出）があると（ステップＳ８０４）、目標設定部１０５は、指導方針記憶部１１４の対象となる対象者の指導方針情報の指導者設定短期目標値に、入力された値を登録する（ステップＳ８０５）。このようにして指導者設定短期目標値が指導方針情報に登録されることで、推奨目標値として対象者に提案することができるようになる。
【００４９】
次に、指導者による支援方針の登録について説明する。図９のフローチャートに示すように、ステップＳ９０１で、指導方針登録部１０４が、端末Ｃ１３３に対して対象者の選択を要求する。この要求に対し、端末Ｃ１３３より指導方針登録の対象となる対象者の情報（対象者識別情報）を受け付けると（ステップＳ９０２）、指導方針登録部１０４は、端末Ｃ１３３に対し、推奨目標値を生成するためのパラメータの入力を要求する（ステップＳ９０３）。この要求に対し、端末Ｃ１３３よりパラメータを受け付けると（ステップＳ９０４）、受け付けたパラメータを指導方針記憶部１１４に記憶されている対象者の指導方針に登録する（ステップＳ９０５）。
【００５０】
次に、ステップＳ９０６で、指導方針登録部１０４は、対象者のグループ分けのための条件（パラメータ）の入力を要求する。この要求に対し、端末Ｃ１３３よりグループ分け条件を受け付けると（ステップＳ９０７）、受け付けたグループ分け条件を指導方針記憶部１１４に記憶されている対象者の指導方針に登録する（ステップＳ９０８）。
【００５１】
次に、ステップＳ９０９で、指導方針登録部１０４は、擬似他者生成のためのパラメータの入力を要求する。この要求に対し、端末Ｃ１３３よりパラメータを受け付けると（ステップＳ９１０）、受け付けたパラメータを指導方針記憶部１１４に記憶されている対象者の指導方針に登録する（ステップＳ９１１）。
【００５２】
ここで、推奨目標値を生成するためのパラメータは、以下の表１に示すように、対象者ごとの取組内容と長期的な目標に対し、段階的な目標値（推奨目標値）設定のための目標到達時期、取組に対するモチベーションの違いを反映させるための達成時上乗せ値および失敗時補正値を設定することができる。
【００５３】
【表１】
2011048745.tif 000003
【００５４】
次に、推奨目標値の生成について、図１０のフローチャートを用いて説明する。まず、ステップＳ１００１で、目標設定部１０５は、指導方針記憶部１１４に記憶されている指導方針情報に、指導者による指導者設定短期目標値の設定の有無を確認する。指導方針情報に、指導者による指導者設定短期目標値が設定されていない場合（ステップＳ１００１のＮ）、ステップＳ１００２で、目標設定部１０５が、健康情報記憶部１１５に記憶されている健康情報より対象者の取り組み状況を取得する。
【００５５】
次に、ステップＳ１００３で、目標設定部１０５は、指導方針記憶部１１４に記憶されている指導方針情報より設定されている長期目標値を取得する。次に、ステップＳ１００４で、目標設定部１０５は、指導方針記憶部１１４に記憶されている指導方針情報より設定されている目標値生成のためのパラメータを取得する。
【００５６】
以上のようにして、目標設定部１０５が、取り組み状況，長期目標値，および目標値生成のためのパラメータを取得すると、ステップＳ１００５で、目標設定部１０５は、推奨目標値を算出する。一方、指導者による指導者設定短期目標値が設定されてる場合（ステップＳ１００１のＹ）、ステップＳ１００６で、目標設定部１０５は、設定されている指導者設定短期目標値を推奨目標値として取得する。
【００５７】
ここで、目標設定部１０５による推奨目標値の算出について説明する。目標設定部１０５は、指導者により設定された指導方針に含まれる推奨目標値生成用のパラメータ（指導者設定パラメータ）と対象者の取り組み内容（対象者取り組み考慮パラメータ）から推奨目標値（Ｓｈｏｒｔ）を生成する。
【００５８】
［指導者設定パラメータ］
１．指導者が提案する長期目標（Ｌｏｎｇ）。
２．長期目標到達までの段階（Ｓｔｅｐ）。
３．対象者の取り組み状況による２つの補正値（ａ，  ｂ）。
４．取り組み内容の下限値（ｍｉｎ），および上限値（ｍａｘ）。
【００５９】
［対象者取り組み考慮パラメータ］
１．対象者の過去の取り組み内容の平均値（ＡＶＥ）。取り組み内容は、対象者より収集された健康情報に含まれるものであり、歩数などの運動や摂取カロリーなどの食事に関するものである。従って、例えば、「１日に歩いた歩数の平均値」などが対象者取り組み考慮パラメータとなる。なお、以降では、例えば過去１週間の取り組み内容平均値をＡＶＥn1とする。これは、前述した擬似他者生成の場合と同様である。
【００６０】
また、推奨目標値（Ｓｈｏｒｔ）の生成において、まず、１週を単位期間とし、推奨目標として提案される内容は前週の内容を基にする。ただし、単位期間の始めと終わりの曜日は任意に変えられるものとする。例えば、単位期間が日曜から土曜までであり、現時点が２月１日（水曜日）とすると、ＡＶＥn1は、１月２１日（日曜日）〜１月２７日（土曜日）の取り組み内容の平均値とする。また、単位期間が日曜から土曜までであり、現時点が２月１日（水曜日）とすると、ＡＶＥn1-n3は、１月７日（日曜日）〜１月２７日（土曜日）の取り組み内容平均値である。例えば、２月６日（土曜日）に健康データを登録しても、ＡＶＥn1，ＡＶＥn1-n3は同じである。
【００６１】
加えて、対象者の取り組み内容の平均値を４段階に分け，４つの式を用いる。
【００６２】
［計算式］
ケース１−１：ＡＶＥn1-n3が、設定する下限値より下回る（ＡＶＥn1-n3＜ｍｉｎ）。
Ｓｈｏｒｔ＝ｍｉｎ  ・・・（１）
【００６３】
ケース１−２：ＡＶＥn1-n3が、設定する下限値より上回り，長期目標Ｌｏｎｇより下回る（ｌ≦ＡＶＥn1-n3＜Ｌｏｎｇ）。
【数１】
2011048745.tif 000004
【００６４】
ケース１−３：ＡＶＥn1-n3が、長期目標Ｌｏｎｇより上回り，設定する上限値より下回る（Ｌｏｎｇ≦ＡＶＥn1-n3＜ｍａｘ）。
【数２】
2011048745.tif 000005
【００６５】
ケース１−４：ＡＶＥn1-n3が、設定する上限値より上回る（ｍａｘ≦ＡＶＥn1-n3）。
Ｓｈｏｒｔ＝ｍａｘ  ・・・（４）
【００６６】
以下、推奨目標値（Ｓｈｏｒｔ）の生成例について説明する。
【００６７】
［例１］歩数。
指導者により設定されているパラメータが、Ｌｏｎｇ＝１００００、Ｓｔｅｐ＝３、ａ＝１（ＡＶＥn1≧ＡＶＥn1-n3）、ａ＝０（ＡＶＥn1＜ＡＶＥn1-n3）、ｂ＝５００、ｍｉｎ＝２５００、ｍａｘ＝２５０００であり、対象者取り組み考慮パラメータが、ＡＶＥn1＝９０００、ＡＶＥn1-n3＝７０００の場合。この場合は、上述したケース１−２に該当する。従って、これらのパラメータを（２）式に投入する。この結果、推奨目標値（Ｓｈｏｒｔ）として、１０５００歩が生成される。なお、１００以下は繰り上げて計算している。
【００６８】
［例２］食事。
指導者により設定されているパラメータが、Ｌｏｎｇ＝３００、Ｓｔｅｐ＝３、ａ＝１（ＡＶＥn1≧ＡＶＥn1-n3），ａ＝０（ＡＶＥn1＜ＡＶＥn1-n3）、ｂ＝２０、ｍｉｎ＝３０、ｍａｘ＝５００であり、対象者取り組み考慮パラメータが、ＡＶＥn1＝３１０、ＡＶＥn1-n3＝３３０の場合、この場合は、上述したケース１−３に該当する。従って、これらのパラメータを（３）式に投入すると、推奨目標値（Ｓｈｏｒｔ）として、４２０ｋｃａｌが生成される。なお１０以下は繰り上げて計算している。
【００６９】
次に、指導者より設定される指導方針としてのグループ分け条件について説明する。対象者を分配するためのグループ分け条件は、以下の表２に示す対象者配分リストを基に、対象者が所属するグループの条件を設定することができる。対象者配分リストは、予め設定されているものである。
【００７０】
【表２】
2011048745.tif 000006
【００７１】
表２に示されている各条件を、以下の表３の設定テーブルに示すように指導者が設定することで、グループ情報管理部１０６が、設定テーブルをもとにグループ分けを行う。
【００７２】
【表３】
2011048745.tif 000007
【００７３】
次に、グループ情報管理部１０６によるグループ分けについて説明する。図１１のフローチャートに示すように、まず、ステップＳ１１０１で、グループ情報管理部１０６は、指導方針記憶部１１４に記憶されている対象となる対象者の指導方針の中のグループ分けの設定条件の中より、期間に関する条件を取得する。次に、ステップＳ１１０２で、グループ情報管理部１０６は、取得した期間中における分配歴情報の存在を、グループ情報記憶部１１６の中に検索する。この検索で、分配履歴情報が存在してない場合（ステップＳ１１０２のＮ）、ステップＳ１１０３で、グループ情報管理部１０６は、期間以外の他の分配条件を取得する。
【００７４】
次に、グループ情報管理部１０６は、ステップＳ１１０４で、取得した各条件に適合する対象者を検索する。グループ情報管理部１０６は、指導方針記憶部１１４に記憶されている情報より、対象者を検索する。この後、グループ情報管理部１０６は、検索した対象者の群を１つのグループとして設定してグループ化し、グループ情報記憶部１１６に登録する（ステップＳ１１０５）。
【００７５】
一方、取得した期間中における分配歴情報の存在の検索で、分配履歴情報が存在している場合（ステップＳ１１０２のＹ）、グループ情報管理部１０６は、ステップＳ１１０６で、グループ情報記憶部１１６より最新のグループ（グループ情報）を取得する。この後、グループ情報管理部１０６は、ステップＳ１１０５で新たに設定したグループもしくはステップＳ１１０６で取得した最新のグループに、対象となる対象者を登録する（ステップＳ１１０７）。このようにして、対象者は、対象者全員で構成されたグループの一員となり、全員の健康情報を閲覧することができるようになる。また、期間を１週間、取組内容を運動（歩行など）、対象者との関係を近似と設定すると、対象者と運動（歩行など）の量が近似した他者を毎週新規にグループ化することができる。
【００７６】
次に、擬似他者パラメータについて説明する。擬似他者パラメータは、グループ形成条件の結果が指導者の想定したグループ規模に達しない場合や、取組の目標となるような他者、競争意識の発生を促すことを目的として生成する。擬似他者パラメータは、以下の表４に例示する擬似他者リストに設定することができる。また、擬似他者パラメータが設定された擬似他者に関する情報は、以下の表５に例示するように、対象者毎に設定テーブルに設定される。擬似他者パラメータは、指導者によって修正が可能である。指導者により擬似他者パラメータを修正することで、特性を変化させることができる。
【００７７】
【表４】
2011048745.tif 000008
【００７８】
【表５】
2011048745.tif 000009
【００７９】
擬似他者生成部１０７は、上述したように設定された擬似他者パラメータを用いて擬似他者情報を生成する。図１２のフローチャートに示すように、擬似他者生成部１０７は、ステップＳ１２０１で、生成する擬似他者の人数に関する情報を取得する。次に、ステップＳ１２０２で、擬似他者生成部１０７は、擬似他者パラメータを取得する。この後、擬似他者生成部１０７は、取得した擬似他者パラメータを用い、必要な人数分の擬似他者情報を生成する（ステップＳ１２０３，ステップＳ１２０４）。
【００８０】
ここで、擬似他者生成部１０７による擬似他者情報の生成についてより詳細に説明する。擬似他者生成部１０７は、指導者により設定された指導方針に含まれる擬似他者生成用のパラメータと対象者の取り組み内容より得られるパラメータ（対象者取り組み考慮パラメータ）から擬似他者情報を生成する。
【００８１】
［擬似他者生成用パラメータ］
１．対象者との差（Ｒｅｌａｔｅ）。
２．対象者健康情報反映値（ａ）。
３．変動幅下限値（ｌ）および上限値（ｈ）。
４．取り組み内容の下限値（ｍｉｎ）。
【００８２】
［対象者取り組み考慮パラメータ］
１．対象者の過去の取り組み内容の平均値（ＡＶＥ）。取り組み内容は、対象者より収集された健康情報に含まれるものであり、歩数などの運動や摂取カロリーなどの食事に関するものである。従って、例えば、「１日に歩いた歩数の平均値」などが対象者取り組み考慮パラメータとなる。なお、以降では、例えば過去１週間の取り組み内容平均値をＡＶＥn1とする。
【００８３】
また、擬似他者生成においては、まず、健康情報の取り扱いに関しては１週を単位期間とする。ただし、単位期間の始めと終わりの曜日は任意に変えられるものとする。例えば、単位期間が日曜から土曜までであり、現時点が２月１日（水曜日）とすると、ＡＶＥn1は、１月２１日（日曜日）〜１月２７日（土曜日）の取り組み内容平均値とする。また、単位期間が日曜から土曜までであり、現時点が２月１日（水曜日）とすると、ＡＶＥn1-n3は、１月７日（日曜日）〜１月２７日（土曜日）の取り組み内容平均値である。
【００８４】
加えて、対象者の取り組み内容の平均値を２段階に分け、２つの式を用いる。
【００８５】
［計算式］
ケース２−１：ＡＶＥn1が設定する下限値より下回る（ＡＶＥn1-n3＜ｍｉｎ）。
Ｄｕｍｍｙ＝ａ×ｍｉｎ＋Ｒｅｌａｔｅ＋ｒａｎｄ（ｌ，ｈ）  ・・・（５）
【００８６】
ケース２−２：ＡＶＥn1が設定する下限値より上回る（ＡＶＥn1-n3＞ｍｉｎ）。
Ｄｕｍｍｙ＝ａ×ＡＶＥn1＋Ｒｅｌａｔｅ＋ｒａｎｄ（ｌ，ｈ）  ・・・（６）
【００８７】
以下、擬似他者情報の生成例について説明する。
【００８８】
［例１］歩数。
指導者により設定されているパラメータが、Ｒｅｌａｔｅ＝１０００、ａ＝０．９、ｌ＝１０００、ｈ＝５００、ｍｉｎ＝２５００、ＡＶＥn1＝８０００の場合。この場合は、上述したケース２−２に該当する。従って、これら各パラメータを（５）式に投入する。この結果、擬似他者情報として、「８７００〜９２００歩」が生成される。
【００８９】
［例２］食事。
指導者により設定されているパラメータが、Ｒｅｌａｔｅ＝５０、ａ＝１．０、ｌ＝−５０、ｈ＝５０、ｍｉｎ＝２００、ＡＶＥn1＝１５０の場合、この場合は、上述したケース２−１に該当する。従って、これらの各パラメータを（６）式に投入する。この結果、擬似他者情報として、「２００〜３００ｋｃａｌ」が生成される。
【００９０】
なお、上述したように擬似他者生成部１０７により生成したものに限らず、端末Ｃ１３３よりネットワーク１２０を介して通信部１１２が受け付けられてグループ情報管理部１０６に登録された擬似他者情報を、他者情報提示部１０８が、要求元の対象者の端末Ａ１３１もしくは端末Ｂ１３２に通知するようにしてもよい。
【００９１】
次に、対象者による短期目標の修正について説明する。図６のフローチャートに示すように、ステップＳ６０１で、目標提示部１１１が、指導方針記憶部１１４に記憶されている推奨目標値を、対応する対象者の端末（端末Ａ１３１，端末Ｂ１３２）に送出する（ステップＳ６０１）。この通知に対し、送出先の端末より目標値の修正要求を受け付けると（ステップＳ６０２）、目標設定部１０５が、指導方針記憶部１１４に登録されている推奨目標値を修正する（ステップＳ６０３）。
【符号の説明】
【００９２】
１００…健康情報処理装置、１０１…利用者識別部、１０２…健康情報登録部、１０３…対象者目標登録部、１０４…指導方針登録部、１０５…目標設定部、１０６…グループ情報管理部、１０７…擬似他者生成部、１０８…他者情報提示部、１０９…取組評価部、１１０…健康情報提示部、１１１…目標提示部、１１２…通信部、１１３…利用者情報記憶部、１１４…指導方針記憶部、１１５…健康情報記憶部、１１６…グループ情報記憶部、１２０…ネットワーク、１３１…端末Ａ、１３２…端末Ｂ、１３３…端末Ｃ。
【図１】
2011048745.tif 000010
【図２】
2011048745.tif 000011
【図３】
2011048745.tif 000012
【図４】
2011048745.tif 000013
【図５】
2011048745.tif 000014
【図６】
2011048745.tif 000015
【図７】
2011048745.tif 000016
【図８】
2011048745.tif 000017
【図９】
2011048745.tif 000018
【図１０】
2011048745.tif 000019
【図１１】
2011048745.tif 000020
【図１２】
2011048745.tif 000021